(57)【要約】【課題】フイルムの巻き取りミスを防止したカメラを低コストで提供する。【解決手段】フイルム先端を所定位置にセットさせるための目安となる指標部２７がスプール２６の外周面に設けられている。この指標部２７は、スプールの外周を３等分に分割する位置（各々の間隔が１２０°となる位置）に３箇所に配置されている。また、この指標部２７は、フイルムの先端形状と略同形状である凹部で形成されており、フイルムのパーフォレーションと係合する係合爪３０が設けられている。この３つの指標部２７は、パトローネ装填用の裏蓋が開放された時に、指標部２７が正面中央位置になるようにスプールが位置規制される。また、この裏蓋が閉じられた時に、この位置規制が解除されてスプールが回動自在となる。【選択図】        図４
2004302102.tif 000002
【特許請求の範囲】
【請求項１】
フイルムをロール状に収納するパトローネが装填され、このパトローネから引き出された写真フイルムを巻き取るスプールが設けられたカメラにおいて、
前記フイルムのパーフォレーションと係合する係合爪と、前記フイルムの先端を所定位置にセットさせるための目安となる指標部とを前記スプールの外周面に設け、
前記パトローネ装填用の開放蓋を開放した時に、前記指標部が略正面中央位置となるように前記スプールが位置規制されることを特徴とするカメラ。
【請求項２】
前記指標部が正面中央位置になるように前記スプールを位置規制する位置規制位置と前記スプールを位置規制しない退避位置との間で移動自在に設けられた位置規制部材と、
前記位置規制部材が前記スプールを押圧するように前記位置規制位置に付勢する付勢部材と、
前記開放蓋を閉じた時に、前記位置規制部材を前記退避位置に押圧して位置規制を解除する解除部材とを備え、前記開放蓋を開放した時に前記スプールを位置規制し、前記開放蓋を閉じた時に位置規制を解除して前記スプールを回動自在にすることを特徴とする請求項１記載のカメラ。
【請求項３】
前記指標部は、前記フイルムの先端形状と略同形状である凹部、または前記フイルムの先端形状と略同形状である印刷表示等であることを特徴とする請求項１または請求項２記載のカメラ。
【請求項４】
前記指標部は、前記スプールの外周を等間隔に分割する位置に複数配置されていることを特徴とする請求項１〜請求項３のいずれか記載のカメラ。
【発明の詳細な説明】
【０００１】
【発明の属する技術分野】
本発明は、フイルムをロール状に収納するパトローネを装填して使用するカメラに関する。
【０００２】
【従来の技術】
近年、フイルムオートローディング機能（すなわち、フイルム自動給送機能）を備えたカメラが普及している。このようなカメラでは、カメラ内にパトローネを装填した後、フイルム先端を所定位置に位置決めしないとフイルム先端をスプールに自動巻き付けすることができない。このため、フイルム先端のセット位置が、フイルム自動給送を行う上で極めて重要である。従来のカメラでは、撮影者がパトローネからフイルムを引き出してフイルム先端を所定位置にセットする時に、この所定位置を簡単に視認できるように、フイルム先端セット位置の周辺に文字及びイラストなどの表示を設けている。このような技術としては、フイルム先端セット位置を指示するために、フイルム室の内壁にフイルム先端位置指示部材を設けることが知られている（例えば、特許文献１参照）。
【０００３】
また、フイルム先端挿入用のスリットをスプールに設け、パトローネ装填用の裏蓋開放時は、スリットが必ず所定位置になるようにモータを制御する技術が知られている（例えば、特許文献２）。さらに、スプール室とアパーチャとの間にフイルム先端形状を表示した表示部材を設けて、フイルム先端のセット位置を視認できるようにする技術が知られている（例えば、特許文献３）。
【０００４】
【特許文献１】
実開平６−８４４４４号公報
【特許文献２】
特開昭５９−２１４０２２号公報
【特許文献３】
特開平５−１００３０９号公報
【０００５】
【発明が解決しようとする課題】
しかしながら、上述した特許文献１記載のカメラでは、フイルム先端を所定位置にセットさせるための位置指示部材の位置が、実際にフイルム先端をセットする所定位置とが離れて配置されているためにセット位置を視認するのが困難である。このため、誤って違う位置にセットしてスプールの巻き取りミスが発生するという問題があった。また、特許文献２に記載のカメラでは、スプールに設けられたスリットだけではフイルム先端のセット位置を視認しにくい。このため、誤って違う位置にセットしてスプールの巻き取りミスが発生するという問題があった。また、スリットが所定位置になるようにモータを制御するため、部品点数が多くなりコストが高くなるという問題があった。また、特許文献３のカメラでは、フイルム室とアパーチャとの間にフイルム先端形状を表示した表示部材を設けているため、カメラのサイズが大きくなるという問題があった。
【０００６】
本発明は、上記問題点を解決するためのものであり、カメラを大型化せずに、フイルムの巻き取りミスを防止したカメラを低コストで提供することを目的とする。
【０００７】
【課題を解決するための手段】
上記問題点を解決するために、本発明のカメラは、フイルムをロール状に収納するパトローネが装填され、このパトローネから引き出された写真フイルムを巻き取るスプールが設けられたカメラであり、フイルムのパーフォレーションと係合する係合爪と、フイルムの先端を所定位置にセットさせるための目安となる指標部とをスプールの外周面に設け、パトローネ装填用の開放蓋を開放した時に、前述の指標部が略正面中央位置となるようにスプールが位置規制されることを特徴とするものである。
【０００８】
また、前述の指標部が正面中央位置になるようにスプールを位置規制する位置規制位置とスプールを位置規制しない退避位置との間で移動自在に設けられた位置規制部材と、この位置規制部材がスプールを押圧して位置規制する位置規制位置に付勢する付勢部材と、前述の開放蓋を閉じた時に、位置規制部材を退避位置に押圧して位置規制を解除する解除部材とを備え、開放蓋を開放した時にスプールを位置規制し、開放蓋を閉じた時に位置規制を解除してスプールを回動自在にすることを特徴とするものである。
【０００９】
さらに、前述の表示部材は、フイルムの先端形状と略同形状である凹部、またはフイルムの先端形状と略同形状である印刷表示等であることが好ましい。また、この指標部はスプールの外周を等間隔に分割する位置に複数配置されていることが好ましい。
【００１０】
【発明の実施の形態】
図１及び図２は、本発明を実施したカメラ１０の前面及び背面を示す斜視図である。カメラ１０はオートローディング機能を有するカメラである。このカメラ１０の前面には、撮影レンズ１１が組み込まれたレンズ鏡筒１２、対物側ファインダ窓１３、被写体に向けてストロボ光を発光するストロボ発光部１４等が設けられている。また、カメラ１０の上面には、レリーズボタン１５が設けられている。カメラ１０の背面の上方には、電源ボタン１６、接眼用ファインダ窓１７が設けられている。その下方には、写真フイルムをロール状に収納するパトローネを装填するための裏蓋１８、電池を装填するための電池装填用蓋１９が設けられている。また、側面には、解除ボタン２０が設けられており、この解除ボタン２０の操作により裏蓋１８と、カメラ１０の内部に設けられた係止機構との係止が解除される。
【００１１】
カメラ１０の内部には、各種撮影機構が組み込まれる本体基部２１が設けられている。本体基部２１には、図３に示すように、レンズ鏡筒１２の組み付け位置の背後にアパーチャ２２が形成されている。アパーチャ２２の右方には、パトローネが装填されるパトローネ室２３が形成されている。また、アパーチャ２２の左方には、パトローネから引き出された写真フイルムが収納されるフイルム室２４が形成されている。
【００１２】
パトローネ室２３の下面には、巻戻しフォーク２５が回転自在に設けられており、この巻戻しフォーク２５が、パトローネの巻芯と係合する。写真フイルムをパトローネに巻き戻す際に、巻戻しフォーク２５が図示せぬモータにより駆動され巻芯が回動することにより、写真フイルムの巻戻しが行われる。
【００１３】
フイルム室２４には、円筒状の巻上げ用のスプール２６が回転自在に設けられている。パトローネから引き出された写真フイルムを巻上げる際に、図示せぬモータの駆動によりスプール２６が回転して、写真フイルムがスプール２６に巻き取られる。このスプール２６の外周面には、その外周を３等分する位置（すなわち、各々の間隔が１２０°となる位置）に３つの指標部２７が設けられている。この指標部２７は、スプール２６の外周面よりも低く、写真フイルムの先端形状と略同形状の凹部で形成されている。
【００１４】
この３つの指標部２７には、写真フイルムの先端に設けられたパーフォレーションの位置と略同位置に、２つの凸部２８，２９が設けられている。この２つの凸部２８，２９のうち図中左側に位置する凸部２８の上面には、引っ掛け爪３０が形成されている。この引っ掛け爪３０は、写真フイルムのパーフォレーションと係合して、図示せぬモータの駆動によりスプールが回転した際に、パトローネから写真フイルムが引き出されてフイルム巻上げ動作が行われる。
【００１５】
前述したような指標部２７が、スプール２６の外周面に設けられているので、撮影者がパトローネをカメラ１０に装填した後、パトローネから写真フイルムを引き出して、写真フイルム先端をスプール２６にセットする際に、写真フイルム先端と略同形状である指標部２７を容易に視認することができ、これを目安にして確実に写真フイルムを指標部２７にセットすることができる。
【００１６】
しかし、撮影者がパトローネを装填する際に、スプール２６の外周面に設けられた指標部２７が、正面中央位置に固定されている必要がある。このため、カメラ１０には、スプール２６の位置を規制する位置規制機構が組み込まれている。次に、この位置規制機構について以下に説明を行う。
【００１７】
図４に示すように、スプール２６の上面には、その形状が略正三角形であるカム板３１が一体に設けられている。このカム板３１は、スプール２６が本体基部２１に組み込まれた時に、本体基部２１の上面に露呈する。
【００１８】
図５は、裏蓋１８開放時の位置規制機構４０の状態を示す斜視図であり、図６は、裏蓋１８を閉じた時の位置規制機構４０の状態を示す斜視図である。図４及び図５に示すように、位置規制機構４０は、このカム板３１と、このカム板３１を位置規制する位置規制部材４１と、この位置規制部材４１を付勢する付勢バネ４２とで構成されている。位置規制部材４１には、本体基部２１の上面に設けられた回動軸４３と係合する係合孔４４と、付勢バネ４２の一端が引っ掛けられるピン４５とが形成されている。また、この位置規制部材４１には、その中央のカム板３１側に、略半円形状の凸部である押圧部４６が形成され、その先端部に被押圧部４７が形成されている。この位置規制部材４１は、図７（Ａ）に示す位置規制位置と、図７（Ｂ）に示す解除位置との間で回動自在に取り付けられる。
【００１９】
また、本体基部２１の上面には、付勢バネ４２の他端が引っ掛けられるピン４８が形成されており、付勢バネ４２の他端が引っ掛けらる。これにより、位置規制部材４１が、図中反時計方向に付勢される。この付勢により、押圧部４６がカム板３１の側面中央を押圧するため、カム板３１の回転が規制される。このため、裏蓋１８の開放時には、指標部２７が正面中央位置になるようにスプール２６が位置規制される。
【００２０】
このように、位置規制機構４０により、３つの指標部２７のいずれか１つの指標部２７が必ず正面中央位置になる。しかし、パトローネ装填終了後に裏蓋１８を閉じた時は、写真フイルムの巻戻し、巻き取りに支障とならないように、パトローネ２６が位置規制されずに回転自在にされる。つまり、位置規制部材４１が、図７（Ｂ）に示す解除位置に回動する必要がある。以下にスプール２６の位置規制の解除について説明を行う。
【００２１】
図６に示すように、裏蓋１８の左方上部には、平板状の突起である解除部材１８ａが形成されている。裏蓋１８が閉じられた時に、この解除部材１８ａが、位置規制部材４１の被押圧部４７を付勢バネ４２の付勢に抗して押圧することにより、位置規制部材４１が図７（Ｂ）に示す退避位置に回動する。これにより、カム板３１は位置規制部材４１による位置規制が解除されて回動自在となる。このため、裏蓋１８を閉じた時には、必ずスプール２６が回動自在となるので、写真フイルムの巻き取りや巻戻し等の動作に支障を与えることはない。
【００２２】
次に、カメラ１０の作用について説明する。撮影者はパトローネを装填するために、解除ボタン２０を操作して、カメラ１０の背面に設けられた裏蓋１８を開放する。この裏蓋１８の開放により、解除部材１８ａが位置規制機構４０から退避するため、位置規制機構４０により、スプール２６は図７（Ａ）に示すように、指標部２７が正面中央に位置するように固定される。
【００２３】
その後、撮影者は、パトローネをパトローネ室２３に装填して、図８に示すように、予め先端が引き出されている写真フイルム５０をパトローネ５１からさらに引出し、写真フイルム５０の先端をスプール２６の指標部２７を目安にして配置する。この時、写真フイルム５０のパーフォレーション５２は、引っ掛け爪３０と係合する。
【００２４】
このように、裏蓋１８を開放した際には、常にスプールの指標部２７が正面中央に固定されているため、撮影者は、指標部２７を視認することが容易であり、写真フイルム５０の先端を指標部２７に確実にセットすることができる。
【００２５】
写真フイルムのセットが終了した後、撮影者は裏蓋１８を閉める。この裏蓋１８の閉じる動作により、解除部材１８ａが位置規制部材４１先端の被押圧部４７の側面を押圧する。位置規制部材４１は、この押圧により付勢バネ４２の付勢力に抗して回動して、図７（Ｂ）に示す退避位置に移動する。これにより、カム板３１は、位置規制されずに回動自在になり、カム板３１が一体の設けられているスプール２６が回動自在となる。
【００２６】
その後、スプール２６は、図示せぬ給送モータにより駆動されて、写真フイルム５０のセット位置から１枚目の撮影位置まで写真フイルム５０を数コマ分巻上げて撮影準備が完了する。この時、写真フイルム５０の先端位置が指標部２７に確実にセットされているため、スプール２６が回転駆動した時に確実に写真フイルム５０を巻き取ることができるので、オートローディングのミスを少なくすることができる。
【００２７】
なお、本実施形態においては、指標部を写真フイルム先端と略同形状である凹部で形成したが、これに限るものではなく、印刷表示しても良い。
【００２８】
また、本実施形態においては、スプールに３つの指標部を設けるように説明したが、これに限るものではなく、例えば、４つ以上設けても良い。この場合は、指標部の数に合わせてカム板の形状を変更すれば良い。例えば、４つの指標部をスプールに設ける時は、カム板の形状を略正方形にすれば良い。
【００２９】
さらに、本実施形態においては、オートローディング機能を有するカメラを用いて説明したが、手動巻き取り式のカメラにも適用できる。
【００３０】
【発明の効果】
以上説明したように、本発明のカメラは、スプールに指標部を設け、パトローネ装填用の裏蓋の開放時に常に指標部が正面中央に位置するようにしたので、フイルム先端のセット位置が容易に視認できるので、フイルム先端が確実に所定位置にセットされてスプールに巻き取られるため、巻き取りミスを防止できる。
【図面の簡単な説明】
【図１】本発明のカメラの前面側を示す外観斜視図である。
【図２】本発明のカメラの背面側を示す外観斜視図である。
【図３】本体基部の構成を示す斜視図である。
【図４】スプールの構成を示す斜視図である。
【図５】裏蓋解放時の位置規制機構の状態を示す斜視図である。
【図６】裏蓋を閉じた時の位置規制機構の状態を示す斜視図である。
【図７】位置規制機構の動作を説明する平面図である。
【図８】写真フイルムのセットを示す説明図である。
【符号の説明】
１０  カメラ
１８  裏蓋
１８ａ  解除部材
２６  スプール
２７  指標部
３０  引っ掛け爪
３１  カム板
４０  位置規制機構
４１  位置規制部材
４２  付勢バネ
４３  回動軸
４４  係合孔
４５，４８  ピン
４６  押圧部
４７  被押圧部
５０  写真フイルム
５１  パトローネ
５２  パーフォレーション
【図１】
2004302102.tif 000003
【図２】
2004302102.tif 000004
【図３】
2004302102.tif 000005
【図４】
2004302102.tif 000006
【図５】
2004302102.tif 000007
【図６】
2004302102.tif 000008
【図７】
2004302102.tif 000009
【図８】
2004302102.tif 000010